(57)【要約】    【課題】      送信時間が変更されて設定された場合においても、受信側にて各チャネルのデータを確実に取得すること。    【解決手段】  同期部１０２は、ＲＦＮカウンタ値及びＢＦＮカウンタ値を用いて、ＲＮＣとＮｏｄｅ  Ｂとの同期を取る。ＮＢＡＰ部１０４は、変更期間を可変にて設定するとともに、ＲＦＮカウンタ値と同期するＣＦＮカウンタ値及びＳＦＮカウンタ値の情報より、変更期間を変更するタイミングを決定して、決定した変更期間を変更するタイミングを動作時刻情報としてＮｏｄｅ  Ｂへ送信する。ＦＰ部１０７は、変更期間毎に同一のＭＣＣＨデータを所定の周期にて繰り返しＮｏｄｅ  Ｂへ送信するとともに、所定のタイミングにてＭＩＣＨデータをＮｏｄｅ  Ｂへ送信する。  【選択図】      図１
2005323113.tif 000002
【特許請求の範囲】
【請求項１】
同一の制御情報を繰り返し送信する送信時間を可変にて設定するとともに前記送信時間を変更するタイミングを決定して前記タイミングの情報であるタイミング情報を基地局装置へ通知する送信時間調整手段と、
前記送信時間調整手段にて前記タイミング情報を通知した後の前記タイミングにて前記送信時間調整手段にて設定された変更後の前記送信時間内に前記制御情報を送信する送信手段と、
を具備することを特徴とする制御局装置。
【請求項２】
所定周期毎に一定の値が加算される第一カウンタ値を生成する第一カウンタと、
所定周期毎に一定の値が加算される前記基地局装置に設けられた第二カウンタにて生成された第二カウンタ値の情報であるカウント情報を受信する受信手段と、
前記第一カウンタにて生成された前記第一カウンタ値と前記受信手段にて受信した前記カウント情報の前記第二カウンタ値との差分を求める差分算出手段とを具備し、
前記送信時間調整手段は、前記第一カウンタの前記第一カウンタ値に前記差分算出手段にて求められた前記差分を加算した値以上の前記第二カウンタ値を前記タイミングとして決定することを特徴とする請求項１記載の制御局装置。
【請求項３】
前記送信手段は、所望の端末装置に対して前記制御情報が送信されていることを通知する通知信号を所定のタイミングにて送信することを特徴とする請求項１または請求項２記載の制御局装置。
【請求項４】
前記送信手段は、同一の前記送信時間内に前記通知信号を複数回数送信することを特徴とする請求項３記載の制御局装置。
【請求項５】
前記送信手段は、連続する前記送信時間毎に前記通知信号を送信することを特徴とする請求項３または請求項４記載の制御局装置。
【請求項６】
請求項１から請求項５のいずれかに記載の制御局装置と通信する基地局装置であって、
前記基地局装置は、
前記タイミング情報及び前記制御情報を受信する受信手段と、
前記受信手段にて受信した前記タイミング情報のタイミングにて前記送信時間を変更する送信時間変更手段と、
前記送信時間変更手段にて変更された前記送信時間にて前記制御情報を繰り返し端末装置へ送信する送信手段と、
を具備することを特徴とする基地局装置。
【請求項７】
請求項３から請求項５のいずれかに記載の制御局装置と通信する基地局装置であって、
前記基地局装置は、
前記タイミング情報、前記制御情報及び前記通知信号を受信する受信手段と、
前記受信手段にて受信した前記通知信号が同一の前記制御情報が送信されていることを通知するものである場合には同一の前記制御情報が送信されていることを通知する前記通知信号の内の１つの前記通知信号を選択する選択手段と、
前記選択手段にて選択された前記通知信号を送信する送信手段と、
を具備することを特徴とする基地局装置。
【請求項８】
同一の制御情報を繰り返し送信する送信時間を可変にて設定するとともに前記送信時間を変更するタイミングを決定するステップと、
決定された前記タイミングの情報であるタイミング情報を基地局装置へ通知するステップと、
前記タイミング情報を通知した後の前記タイミングにて設定された変更後の前記送信時間内に前記制御情報を送信するステップと、
を具備することを特徴とする送信方法。
【請求項９】
所定周期毎に一定の値が加算される第一カウンタ値を生成するステップと、
前記基地局装置にて生成される所定周期毎に一定の値が加算される第二カウンタ値の情報であるカウント情報を受信するステップと、
生成された前記第一カウンタ値と受信した前記カウント情報の前記第二カウンタ値との差分を求めるステップとを具備し、
前記第一カウンタ値に前記差分を加算した値以上の前記第二カウンタ値を前記タイミングとして決定することを特徴とする請求項８記載の送信方法。
【請求項１０】
所望の前記端末装置に対して前記制御情報が送信されていることを通知する通知信号を所定のタイミングにて送信することを特徴とする請求項８または請求項９記載の送信方法。
【請求項１１】
前記送信時間内に前記通知信号を複数回数送信することを特徴とする請求項１０記載の送信方法。
【請求項１２】
連続する前記送信時間毎に前記通知信号を送信することを特徴とする請求項１０または請求項１１記載の送信方法。
【発明の詳細な説明】
【技術分野】
【０００１】
本発明は、制御局装置及び基地局装置に関し、例えばマルチキャストパケット通信サービスを提供する制御局装置及び基地局装置に関する。
【背景技術】
【０００２】
パケット通信システム１０は図２２に示すように、移動端末（以下「ＵＥ」と記載する）１１、基地局装置（以下「Ｎｏｄｅ  Ｂ」と記載する）１２、複数のＮｏｄｅ  Ｂ１２を制御する無線ネットワーク制御装置（以下「ＲＮＣ」と記載する）１３、ＵＥ１１の位置管理及び呼接続制御等を行うコアネットワーク（以下「ＣＮ」と記載する）１４及びＵＥ１１の通信相手（以下「ＴＥ」と記載する）１５により構成されている。各ＲＮＣ１３には複数のＮｏｄｅ  Ｂ１２が接続され、Ｎｏｄｅ  Ｂ１２には複数のＵＥ１１が接続される。
【０００３】
また、マルチキャストパケットサービスまたはブロードキャストパケットサービスを効率的に提供するために、セル単位のＭＴＣＨ（MBMS point-to-multipoint Traffic Channel）及びＭＣＣＨ（MBMS point-to-multipoint Control Channel）という論理チャネルと、ＭＩＣＨ（MBMS Notification Indicator Channel）という物理チャネルが新たに導入されている（例えば、非特許文献１）。ここで、ＭＴＣＨはデータを送るためのチャネルであり、ＭＣＣＨは制御情報を送るためのチャネルであるとともにＭＩＣＨは制御情報を送っていることを通知する信号を送るチャネルである。
【０００４】
マルチキャストパケットサービスまたはブロードキャストパケットサービスは、送信側が１つであるのに対して複数の受信側が存在するような通信方式のサービスである。具体的には、マルチキャストパケットサービスまたはブロードキャストパケットサービスにおいては、ＲＮＣはＭＩＣＨデータ、ＭＣＣＨデータ及びＭＴＣＨデータを生成してＮｏｄｅ  Ｂへ送信する。ＭＩＣＨデータ及びＭＣＣＨデータを受け取ったＮｏｄｅ  Ｂは、受け取ったＭＩＣＨデータ、ＭＣＣＨデータ及びＭＴＣＨデータを複数のＵＥへ順次送信する。この時、ＵＥはＭＩＣＨを監視して自分宛の情報が来ているか否かを判断する。そして、ＵＥは自分宛の情報が来ているものと判断した場合には、次にＭＣＣＨの制御情報を見て実際に流れている情報を参照する。さらに、ＵＥは自分が見たい情報が流れている場合にはＭＴＣＨよりデータを取得する。この場合、ＵＥは最初にＭＩＣＨだけを監視すれば良いので、ＵＥの消費電力を低減することができる。
【０００５】
また、図２３に示すように、ＲＮＣは、変更期間（Modification Period）＃５１、＃５２と呼ばれる所定の送信時間を設定して、各チャネルの送信信号をＮｏｄｅ  Ｂへ送信する。また、ＲＮＣは、所定の変更期間＃５１の先頭のタイミングにて１回だけＭＩＣＨデータ＃５４をＮｏｄｅ  Ｂへ送信する。
【０００６】
Ｎｏｄｅ  Ｂは、変更期間＃５１、＃５２内には繰り返し期間（Repetition Period）＃５３と呼ばれる変更期間＃５１、＃５２よりも短い周期の所定の送信時間を設定する。そして、Ｎｏｄｅ  Ｂは、変更期間＃５１において、繰り返し期間＃５３の周期にてＭＣＣＨデータ＃５６を繰り返しＵＥに対して送信し、変更期間＃５２において、繰り返し期間＃５３の周期にてＭＣＣＨデータ＃５７を繰り返しＵＥに対して送信する。ＭＣＣＨデータは、変更期間＃５１から変更期間＃５２になるタイミングにて更新または変更される。ＵＥはＭＩＣＨを監視することにより、ＭＣＣＨデータが更新されたことを知ることができる。
【非特許文献１】3GPP TS 23.246 V.6.2.0 (2004-03) Introduction of the Multimedia Broadcast Multicast Service (MBMS) in the Radio Access Network (RAN); Stage 2  (Release 6)
【発明の開示】
【発明が解決しようとする課題】
【０００７】
しかしながら、従来の制御局装置及び基地局装置においては、通信途中にＲＮＣにて変更期間が変更された場合、Ｎｏｄｅ  Ｂは変更期間が変更されたことを知らないため、ＲＮＣからＭＩＣＨの信号を受信したＮｏｄｅ  Ｂは、ＵＥに対して正しいＭＩＣＨの信号を送信することができないという問題がある。この結果、ＵＥは、新しいデータ配信のサービスの開始を認識することができず、データ配信のサービスを受けられないという問題がある。
【０００８】
本発明はかかる点に鑑みてなされたものであり、送信時間が変更されて設定された場合においても、受信側にて各チャネルのデータを確実に取得することができる制御局装置及び基地局装置を提供することを目的とする。
【課題を解決するための手段】
【０００９】
本発明の制御局装置は、同一の制御情報を繰り返し送信する送信時間を可変にて設定するとともに前記送信時間を変更するタイミングを決定して前記タイミングの情報であるタイミング情報を基地局装置へ通知する送信時間調整手段と、前記送信時間調整手段にて前記タイミング情報を通知した後の前記タイミングにて前記送信時間調整手段にて設定された変更後の前記送信時間内に前記制御情報を送信する送信手段と、を具備する構成を採る。
【００１０】
この構成によれば、制御情報を繰り返し送信する送信時間を変更するタイミング情報を基地局装置へ通知した後に、変更後の送信時間にて制御情報を基地局装置へ送信することにより、基地局装置はタイミング情報により制御情報を送信する送信時間が変更されるタイミングを知ることができるので、受信側にて制御情報が送信されていることを精度良く検出することができる。
【００１１】
本発明の制御局装置は、前記構成において、所定周期毎に一定の値が加算される第一カウンタ値を生成する第一カウンタと、所定周期毎に一定の値が加算される前記基地局装置に設けられた第二カウンタにて生成された第二カウンタ値の情報であるカウント情報を受信する受信手段と、前記第一カウンタにて生成された前記第一カウンタ値と前記受信手段にて受信した前記カウント情報の前記第二カウンタ値との差分を求める差分算出手段とを具備し、前記送信時間調整手段は、前記第一カウンタの前記第一カウンタ値に前記差分算出手段にて求められた前記差分を加算した値以上の前記第二カウンタ値を前記タイミングとして決定する構成を採る。
【００１２】
この構成によれば、前記効果に加えて、基地局装置と制御局装置とのカウンタ値の同期を取った後にカウンタ値を用いて送信時間が変更されることを通知することができるので、制御局装置は簡単な方法にて確実に送信時間が変更されるタイミングを基地局装置に対して通知することができる。
【００１３】
本発明の制御局装置は、前記構成において、前記送信手段は、所望の端末装置に対して前記制御情報が送信されていることを通知する通知信号を所定のタイミングにて送信する構成を採る。
【００１４】
この構成によれば、前記効果に加えて、受信側にて通知信号を監視することにより必要な制御情報が送られてきているか否かを判断することができるので、受信側の消費電力を低減することができる。
【００１５】
本発明の制御局装置は、前記構成において、前記送信手段は、同一の前記送信時間内に前記通知信号を複数回数送信する構成を採る。
【００１６】
この構成によれば、前記効果に加えて、送信時間内に通知信号を複数回数送信するので、伝送途中で全ての通知信号が損失してしまうことを防ぐことができ、受信側にて制御情報が送られてきていることを確実に知ることができる。
【００１７】
本発明の制御局装置は、前記構成において、前記送信手段は、連続する前記送信時間毎に前記通知信号を送信する構成を採る。
【００１８】
この構成によれば、前記効果に加えて、連続する複数の送信時間毎に通知信号を送信するので、伝送途中で全てのデータが損失してしまうことを防ぐことができ、受信側にて制御情報が送られてきていることを確実に知ることができる。
【００１９】
本発明の基地局装置は、前記のいずれかに記載の制御局装置と通信する基地局装置であって、前記基地局装置は、前記タイミング情報及び前記制御情報を受信する受信手段と、前記受信手段にて受信した前記タイミング情報のタイミングにて前記送信時間を変更する送信時間変更手段と、前記送信時間変更手段にて変更された前記送信時間にて前記制御情報を繰り返し端末装置へ送信する送信手段と、を具備する構成を採る。
【００２０】
この構成によれば、基地局装置は送信時間が変更された場合においてもタイミング情報を参照することにより、制御局装置から送信された制御情報を確実に受け取ることができるので、基地局装置は端末装置に対して確実に制御情報を送信することができる。
【００２１】
本発明の基地局装置は、前記のいずれかに記載の制御局装置と通信する基地局装置であって、前記基地局装置は、前記タイミング情報、前記制御情報及び前記通知信号を受信する受信手段と、前記受信手段にて受信した前記通知信号が同一の前記制御情報が送信されていることを通知するものである場合には同一の前記制御情報が送信されていることを通知する前記通知信号の内の１つの前記通知信号を選択する選択手段と、前記選択手段にて選択された前記通知信号を送信する送信手段と、を具備する構成を採る。
【００２２】
この構成によれば、各送信時間において、基地局装置は同一の制御情報を通知する通知信号を複数回数受信した場合には、通知信号を１つだけ選択して端末装置へ送信するので、端末装置は通知信号を１度だけ受信して復号等の処理を行えば良いので、端末装置の消費電力が増大することを防ぐことができる。
【００２３】
本発明の送信方法は、同一の制御情報を繰り返し送信する送信時間を可変にて設定するとともに前記送信時間を変更するタイミングを決定するステップと、決定された前記タイミングの情報であるタイミング情報を基地局装置へ通知するステップと、前記タイミング情報を通知した後の前記タイミングにて設定された変更後の前記送信時間内に前記制御情報を送信するステップと、を具備するようにした。
【００２４】
この方法によれば、制御情報を繰り返し送信する送信時間を変更するタイミング情報を基地局装置へ通知した後に、変更後の送信時間にて制御情報を基地局装置へ送信することにより、基地局装置はタイミング情報により制御情報を送信する送信時間が変更されるタイミングを知ることができるので、受信側にて制御情報が送信されていることを精度良く検出することができる。
【００２５】
本発明の送信方法は、前記方法において、所定周期毎に一定の値が加算される第一カウンタ値を生成するステップと、前記基地局装置にて生成される所定周期毎に一定の値が加算される第二カウンタ値の情報であるカウント情報を受信するステップと、生成された前記第一カウンタ値と受信した前記カウント情報の前記第二カウンタ値との差分を求めるステップとを具備し、前記第一カウンタ値に前記差分を加算した値以上の前記第二カウンタ値を前記タイミングとして決定するようにした。
【００２６】
この方法によれば、前記効果に加えて、基地局装置と制御局装置とのカウンタ値の同期を取った後にカウンタ値を用いて送信時間が変更されることを通知することができるので、制御局装置は簡単な方法にて確実に送信時間が変更されるタイミングを基地局装置に対して通知することができる。
【００２７】
本発明の送信方法は、前記方法において、所望の前記端末装置に対して前記制御情報が送信されていることを通知する通知信号を所定のタイミングにて送信するようにした。
【００２８】
この方法によれば、前記効果に加えて、受信側にて通知信号を監視することにより必要な制御情報が送られてきているか否かを判断することができるので、受信側の消費電力を低減することができる。
【００２９】
本発明の送信方法は、前記方法において、前記送信時間内に前記通知信号を複数回数送信するようにした。
【００３０】
この方法によれば、前記効果に加えて、送信時間内に通知信号を複数回数送信するので、伝送途中で全ての通知信号が損失してしまうことを防ぐことができ、受信側にて制御情報が送られてきていることを確実に知ることができる。
【００３１】
本発明の送信方法は、前記方法において、連続する前記送信時間毎に前記通知信号を送信するようにした。
【００３２】
この方法によれば、前記効果に加えて、連続する複数の送信時間毎に通知信号を送信するので、伝送途中で全てのデータが損失してしまうことを防ぐことができ、受信側にて制御情報が送られてきていることを確実に知ることができる。
【発明の効果】
【００３３】
本発明によれば、送信時間が変更されて設定された場合においても、受信側にて各チャネルのデータを確実に取得することができる。
【発明を実施するための最良の形態】
【００３４】
本発明の骨子は、同一の制御情報を繰り返し送信する送信時間を変更するタイミングの情報であるタイミング情報を基地局装置へ通知し、タイミング情報を通知した後のタイミング情報のタイミングにて、変更後の送信時間内に制御情報を繰り返し送信することである。
【００３５】
以下、本発明の実施の形態について、図面を参照して詳細に説明する。
【００３６】
（実施の形態１）
図１は、本発明の実施の形態１に係るＲＮＣ１００の構成を示すブロック図である。
【００３７】
第一カウンタであるＲＦＮカウンタ１０１は、所定の周期毎に「１」ずつ加算されるＲＦＮカウンタ値を生成して同期部１０２へ出力する。
【００３８】
差分算出手段である同期部１０２は、ＲＦＮカウンタ１０１から入力したＲＦＮカウンタ値の情報を後述するＮｏｄｅ  Ｂへ送信するとともにＣＦＮ／ＳＦＮ生成部１０３へ出力し、Ｎｏｄｅ  Ｂへ送信したＲＦＮカウンタ値の情報及びＮｏｄｅ  Ｂから受け取ったＢＦＮカウンタ値の情報よりＢＦＮカウンタ値とＲＦＮカウンタ値との差分を求めて、求めた差分の情報をＣＦＮ／ＳＦＮ生成部１０３へ出力する。
【００３９】
ＣＦＮ／ＳＦＮ生成部１０３は、同期部１０２から入力した差分の情報及びＲＦＮカウンタ値の情報に基づいて、ＣＦＮカウンタ値及びＳＦＮカウンタ値の情報を生成してＮＢＡＰ部１０４及びＭＡＣ部１０６へ出力する。ここで、ＳＦＮカウンタ値、ＣＦＮカウンタ値及びＢＦＮカウンタ値は同一の値である。また、ＲＦＮ、ＣＦＮ、ＢＦＮ及びＳＦＮは、ＵＥ、ＮｏｄｅＢ及びＲＮＣの間のデータ転送のためのタイミング制御に利用される信号である。
【００４０】
送信時間調整手段であるＮＢＡＰ部１０４は、変更期間（送信時間）を可変にて設定するとともに、ＣＦＮ／ＳＦＮ生成部１０３から入力したＣＦＮカウンタ値及びＳＦＮカウンタ値の情報より変更期間を変更するタイミングを決定する。そして、ＮＢＡＰ部１０４は、決定した変更期間を変更するタイミングを動作時刻（Activation Time）情報としてＮｏｄｅ  Ｂへ送信するとともにＭＡＣ部１０６へ出力し、Ｎｏｄｅ  Ｂから受け取った動作時刻情報に対する応答信号をＭＡＣ部１０６へ出力する。
【００４１】
ＲＲＣ部１０５は、ＭＩＣＨデータ、ＭＣＣＨデータ及びＭＴＣＨデータを生成してＭＡＣ部１０６へ出力する。
【００４２】
ＭＡＣ部１０６は、ＲＲＣ部１０５から入力したＭＩＣＨデータ及びＭＣＣＨデータを変更期間の先頭のタイミングにて送信するようにスケジューリングを行う。そして、ＭＡＣ部１０６は、スケジューリングを行った後にＭＩＣＨデータ及びＭＣＣＨデータをＦＰ部１０７へ出力する。また、ＭＡＣ部１０６は、ＮＢＡＰ部１０４から動作時刻情報に対する応答信号が入力した場合には、動作時刻以降にＮｏｄｅ  ＢからＵＥへ送信されるＲＲＣ部１０５から入力したＭＩＣＨデータ及びＭＣＣＨデータに対して、変更後の変更期間に基づいてスケジューリングを行って、ＦＰ部１０７へ出力する。この時、ＭＡＣ部１０６は、ＣＦＮ／ＳＦＮ生成部１０３から入力した変更期間が変更されるタイミングを示すＣＦＮカウンタ値の情報を、変更期間を変更する前のＭＩＣＨデータ及びＭＣＣＨデータに含めてＦＰ部１０７へ出力する。
【００４３】
送信手段であるＦＰ部１０７は、ＭＡＣ部１０６から入力したＭＩＣＨデータ、ＭＣＣＨデータ及びＭＴＣＨデータをＭＩＣＨデータフレーム、ＭＣＣＨデータフレーム及びＭＴＣＨデータフレームに組み立ててＮｏｄｅ  Ｂへ送信する。なお、ＦＰ部１０７は、任意の変更期間にてＭＣＣＨデータを１回または複数回Ｎｏｄｅ  Ｂへ送信しても良いし、変更期間毎に１回ずつＭＣＣＨデータをＮｏｄｅ  Ｂへ送信しても良いし、変更期間毎に同一のＭＣＣＨデータを所定の周期にて繰り返しＮｏｄｅ  Ｂへ送信しても良い。
【００４４】
次に、Ｎｏｄｅ  Ｂ２００の構成について図２を用いて説明する。図２は、Ｎｏｄｅ  Ｂ２００の構成を示すブロック図である。
【００４５】
第二カウンタであるＢＦＮカウンタ２０１は、所定の周期毎に「１」ずつ加算されるＢＦＮカウンタ値を生成して、ＢＦＮカウンタ値の情報を同期部２０２及びＣＦＮ／ＳＦＮ生成部２０３へ出力する。
【００４６】
同期部２０２は、ＲＮＣ１００の同期部１０２からＲＦＮカウンタ値の情報が入力した場合にはＲＦＮカウンタ値の情報を記憶し、ＲＦＮカウンタ値の情報が入力したタイミングにてＢＦＮカウンタ２０１から入力したＢＦＮカウンタ値の情報をＲＮＣ１００の同期部１０２へ送信する。
【００４７】
ＣＦＮ／ＳＦＮ生成部２０３は、ＢＦＮカウンタ２０１から入力したＢＦＮカウンタ値の情報よりＣＦＮカウンタ値の情報及びＳＦＮカウンタ値の情報を生成してＦＰ部２０５へ出力する。
【００４８】
ＮＢＡＰ部２０４は、ＲＮＣ１００のＮＢＡＰ部１０４から受け取った動作時刻情報をＦＰ部２０５へ出力するとともに、動作時刻情報に対する応答信号をＲＮＣ１００のＮＢＡＰ部１０４へ送信する。
【００４９】
送信時間変更手段であるＦＰ部２０５は、所定のタイミングにてＭＩＣＨデータをＰＨＹ部２０６へ出力するとともに、各変更期間において同一のＭＣＣＨデータを複製して繰り返しＰＨＹ部２０６へ出力する。また、ＦＰ部２０５は、ＮＢＡＰ部２０４から入力した動作時刻情報の時刻以降に送信するＲＮＣ１００のＦＰ部１０７から受け取ったＭＩＣＨデータフレーム、ＭＣＣＨデータフレーム及びＭＴＣＨデータフレームに対して、変更後の変更期間に基づいた処理を行ってＰＨＹ部２０６へ出力する。
【００５０】
ＰＨＹ部２０６は、ＦＰ部２０５から入力したＭＩＣＨデータ、ＭＣＣＨデータ及びＭＴＣＨデータに対してレイヤ１の処理を行ってＵＥへ送信する。
【００５１】
次に、変更期間を変更する際のＵＥ、Ｎｏｄｅ  Ｂ及びＲＮＣの動作について図３を用いて説明する。図３は、変更期間を変更する際のＵＥ、Ｎｏｄｅ  Ｂ及びＲＮＣの動作を示すシーケンス図である。
【００５２】
ＲＮＣ１００の同期部１０２は、ＲＦＮカウンタ１０１から入力したＲＦＮカンタ値「０」＃３１０の情報をＮｏｄｅ  Ｂ２００へ送信する（ステップＳＴ３０１）。Ｎｏｄｅ  Ｂ２００の同期部２０２は、ＢＦＮカウンタ値「４」＃３１１のタイミングにてＲＦＮカウンタ値「０」＃３１０の情報を受け取る。そして、ＲＦＮカウンタ値「０」＃３１０の情報を受け取ったＮｏｄｅ  Ｂ２００の同期部２０２は、ＲＦＮカンタ値「０」＃３１０の情報を受け取った後、ＢＦＮカウンタ２０１から入力したＢＦＮカウンタ値「６」＃３１２のタイミングにてＢＦＮカウンタ値「６」＃３１２の情報をＲＮＣ１００へ送信する（ステップＳＴ３０２）。
【００５３】
次に、ＢＦＮカウンタ値「６」＃３１２の情報を受け取ったＲＮＣ１００の同期部１０２は、受け取ったＢＦＮカウンタ値「６」＃３１２と、ＢＦＮカウンタ値「６」＃３１２を受け取ったタイミングにＲＦＮカウンタ１０１から入力したＲＦＮカウンタ値「２」＃３１３とに基づいて、ＲＦＮカウンタ値とＢＦＮカウンタ値との同期を取る。具体的には、同期部１０２は、受け取ったＢＦＮカウンタ値「６」＃３１２から、ＢＦＮカウンタ値「６」＃３１２を受け取ったタイミングにＲＦＮカウンタ１０１から入力したＲＦＮカウンタ値「２」＃３１３を減算し、減算結果である「４」がＲＦＮカウンタ値とＢＦＮカウンタ値との差分であることを知ることができ、これによりＢＦＮカウンタとＲＦＮカウンタとの同期を取ることができる。
【００５４】
次に、ＲＮＣ１００のＣＦＮ／ＳＦＮ生成部１０３は、ＣＦＮカウンタ値及びＳＦＮカウンタ値がＲＦＮカウンタ値よりも「４」だけ大きい値である旨の情報を生成する。また、ＮＢＡＰ部１０４は、ＣＦＮカウンタ値及びＳＦＮカウンタ値がＲＦＮカウンタ値よりも「４」だけ大きい値であるため、変更期間を変更した後のＭＩＣＨデータ及びＭＣＣＨデータを送信するタイミングが、少なくとも現時点のＲＦＮカウンタ値よりも「４」以上の値になるように変更期間を変更する時刻を決定する。そして、ＮＢＡＰ部１０４は、ＲＮＣカウンタ値「７」＃３１４のタイミングにて、変更される変更期間を有効にするための動作時刻情報をＮｏｄｅ  Ｂ２００へ送信する（ステップＳＴ３０３）。そして、ＢＦＮカウンタ値「１１」＃３１５にて動作情報を受信したＮｏｄｅ  Ｂ２００は、受け取った動作時刻情報を記憶し、ＢＦＮカウンタ値「１５」＃３１６のタイミングにて応答信号をＲＮＣ１００へ送信し（ステップＳＴ３０４）、ＲＮＣ１００はＲＮＦカウンタ値１１＃３１７に応答信号を受信する。
【００５５】
変更期間を変更した後にＮｏｄｅ  Ｂ２００からＵＥ３００へ送信されるＭＩＣＨデータ及びＭＣＣＨデータを送信するタイミングをＲＮＣにて決定する場合において、例えば、ＮＢＡＰ部１０４は、現時点にてＲＦＮカウンタ値「１３」＃３１８である場合には、ＲＦＮカウンタ値「１３」に「４」を加算して「１７」以上のＳＦＮカウンタ値及びＣＦＮカウンタ値を動作時刻情報とする。例えば、図３の場合、ＳＦＮカウンタ値及びＣＦＮカウンタ値「２４」を動作時刻情報としてＮｏｄｅ  Ｂ２００へ送信する（ステップＳＴ３０５）。
【００５６】
次に、応答信号を受け取ったＲＮＣ１００は、Ｎｏｄｅ  Ｂ２００がＳＦＮカウンタ値「２４」及びＣＦＮカウンタ値「２４」にて変更期間を変更することが可能であるものと判断して、ＲＦＮカウンタ値「２０」以前のＲＦＮカウンタ値「１３」＃３１８にて、変更期間を変更したＭＩＣＨデータ及びＭＣＣＨデータをＮｏｄｅ  Ｂ２００へ送信し（ステップＳＴ３０５）、Ｎｏｄｅ  Ｂ２００はＢＦＮカウンタ値「１７」＃３１９にて変更期間を変更したＭＩＣＨデータ及びＭＣＣＨデータを受信する。
【００５７】
次に、変更期間を変更して送信されたＭＩＣＨデータ及びＭＣＣＨデータを受け取ったＮｏｄｅ  Ｂ２００は、ＲＮＣ１００にて指定されたＳＦＮカウンタ値「２４」及びＣＦＮカウンタ値「２４」＃３２０のタイミングにて変更期間が変更されたＭＩＣＨデータ及びＭＣＣＨデータをＵＥ３００へ送信し（ステップＳＴ３０６）、ＵＥ３００はＳＦＮカウンタ値「２４」＃３２１にて変更期間が変更されたＭＩＣＨデータ及びＭＣＣＨデータを受信する。
【００５８】
図４は、ＭＩＣＨ及びＭＣＣＨのタイミングを示す図である。図４より、ＭＩＣＨデータ＃４０１は、所定のタイミングにてＲＮＣ１００からＮｏｄｅ  Ｂ２００へ送信される。また、ＲＮＣ１００からＮｏｄｅ  Ｂ２００へ図示しないＭＣＣＨデータが送信される。ＭＩＣＨデータ＃４０１を受信したＮｏｄｅ  Ｂ２００は、変更期間＃４０３の先頭のタイミングにてＭＩＣＨデータ＃４０１をＵＥ３００へ送信する。また、Ｎｏｄｅ  Ｂは、変更期間＃４０３においてＭＣＣＨデータ＃４０６を繰り返し期間＃４０８の周期にて繰り返しＵＥ３００に対して送信し、変更期間＃４０４において、ＭＣＣＨデータ＃４０６と異なるデータであるＭＣＣＨデータ＃４０７を繰り返し期間＃４０９の周期にて繰り返しＵＥ３００に対して送信する。なお、図４において、変更期間＃４０３内にて繰り返し送信されるＭＣＣＨデータ＃４０６、及び変更期間＃４０４内にて繰り返し送信されるＭＣＣＨデータ＃４０７は、Ｎｏｄｅ  Ｂ２００からＵＥ３００へ送信する際のＭＣＣＨデータの送信のタイミングを示すものである。
【００５９】
ＭＩＣＨにおいて、変更期間＃４０３、及び変更期間＃４０３と異なる長さの変更期間＃４０４が設定されており、ＲＮＣ１００は変更期間＃４０３が変更期間＃４０４に変わるタイミング＃４０５を動作時刻情報にてＮｏｄｅ  Ｂ２００及びＵＥ３００へ通知する。また、繰り返し期間＃４０８と繰り返し期間＃４０９とは異なる長さである。繰り返し期間＃４０８から繰り返し期間＃４０９への変更は、変更期間＃４０３から変更期間＃４０４に変更されるタイミング＃４０５と同じタイミングであるため、ＲＮＣ１００は、変更期間＃４０３から変更期間＃４０４に変更されるタイミング＃４０５を動作時刻情報にて通知することにより、繰り返し期間＃４０８から繰り返し期間＃４０９に変更されることも通知することとなる。
【００６０】
図５は、ＭＩＣＨデータのフレーム構成を示す図である。図５より、Ｎｏｄｅ  Ｂ２００がＵＥ３００へ送信するＭＩＣＨデータのタイミングは、ＭＩＣＨフレームのヘッダー部＃５０１のＣＦＮフィールド＃５０２に設定されているＣＦＮにより決められている。したがって、Ｎｏｄｅ  Ｂ２００は、先にＲＮＣ１００から通知された変更期間が変更されるタイミングを示すＣＦＮカウンタ値と同じＣＦＮがＣＦＮフィールド＃５０２に設定されたＭＩＣＨデータを受信した場合には、変更後の変更期間に従った処理を行ってＵＥ３００へ送信する。
【００６１】
図６は、ＭＣＣＨデータのフレーム構成を示す図である。図６より、Ｎｏｄｅ  Ｂ２００がＵＥ３００へ送信するＭＣＣＨデータのタイミングは、ＭＣＣＨフレームのヘッダー部＃６０１のＣＦＮフィールド＃６０２に設定されているＣＦＮにより決められている。したがって、Ｎｏｄｅ  Ｂ２００は、先にＲＮＣ１００から通知された変更期間が変更されるタイミングを示すＣＦＮカウンタ値と同じＣＦＮがＣＦＮフィールド＃６０２に設定されたＭＣＣＨデータを受信した場合には、変更後の変更期間に従った処理を行ってＵＥ３００へ送信する。
【００６２】
図７は、ＭＣＣＨのプロトコル構成を示す図である。図７より、Ｎｏｄｅ  Ｂ２００のＰＨＹ７０１とＵＥ３００のＰＨＹ７０２とは無線伝送のための処理を行う。ＲＮＣ１００のＭＡＣ７０３とＵＥ３００のＭＡＣ７０４とは、スケジューリングに関する処理を行う。ＲＮＣ１００のＲＬＣ７０５とＵＥ３００のＲＬＣ７０６とは、再送の処理を行う。ＲＮＣ１００のＲＲＣ７０７とＵＥ３００のＲＲＣ７０８とは、無線のリソース管理を行う。
【００６３】
図８は、ＭＴＣＨのプロトコル構成を示す図である。図８より、Ｎｏｄｅ  Ｂ２００のＰＨＹ８０１とＵＥ３００のＰＨＹ８０２とは無線伝送のための処理を行う。ＲＮＣ１００のＭＡＣ８０３とＵＥ３００のＭＡＣ８０４とは、スケジューリングに関する処理を行う。ＲＮＣ１００のＲＬＣ８０５とＵＥ３００のＲＬＣ８０６とは、再送の処理を行う。ＲＮＣ１００のＰＤＣＰ８０７とＵＥ３００のＰＤＣＰ８０８とは、パケットの圧縮処理及び復元処理を行う。
【００６４】
このように、本実施の形態１によれば、変更期間が変更された場合にはＲＮＣからＮｏｄｅ  Ｂへ変更期間が変更されるタイミングを示す動作時刻情報を送信した後に、動作時刻情報にて通知したタイミングにて、変更後の変更期間のＭＩＣＨデータ及びＭＣＣＨデータを送信するので、送信時間が変更されて設定された場合においても、受信側にて各チャネルのデータを確実に取得することができる。また、本実施の形態１によれば、ＵＥはＭＩＣＨデータを監視することにより自分宛の必要なＭＣＣＨデータが送られてきているか否かを判断することができるので、ＵＥの消費電力を低減することができる。また、本実施の形態１によれば、Ｎｏｄｅ  ＢとＲＮＣとのカウンタ値の同期を取った後にカウンタ値を用いて送信時間が変更されることを通知することができるので、制御局装置は簡単な方法にて確実に送信時間が変更されるタイミングを基地局装置に対して通知することができる。
【００６５】
（実施の形態２）
図９は、本発明の実施の形態２に係るＲＮＣ９００の構成を示すブロック図である。
【００６６】
本実施の形態２に係るＲＮＣ９００は、図１に示す実施の形態１に係るＲＮＣ１００において、図９に示すように、ＮＢＡＰ部１０４の代わりにＮＢＡＰ部９０１を有するとともに、ＦＰ部１０７の代わりにＦＰ部９０２を有する。なお、図９においては、図１と同一構成である部分には同一の符号を付してその説明は省略する。また、本実施の形態２におけるＮｏｄｅ  Ｂの構成は図２と同一構成であるので、その説明は省略する。
【００６７】
ＮＢＡＰ部９０１は、変更期間を設定するとともに、ＣＦＮ／ＳＦＮ生成部１０３から入力したＣＦＮカウンタ値及びＳＦＮカウンタ値の情報より変更期間を変更するタイミングを決定する。そして、ＮＢＡＰ部９０１は、決定した変更期間を変更するタイミングを動作時刻情報としてＮｏｄｅ  Ｂへ送信するとともにＭＡＣ部１０６へ出力し、Ｎｏｄｅ  Ｂから受け取った動作時刻情報に対する応答信号をＭＡＣ部１０６へ出力する。また、ＮＢＡＰ部９０１は、設定した変更期間の情報をＦＰ部９０２へ出力する。
【００６８】
ＦＰ部９０２は、ＭＡＣ部１０６から入力したＭＩＣＨデータ、ＭＣＣＨデータ及びＭＴＣＨデータをＭＩＣＨデータフレーム、ＭＣＣＨデータフレーム及びＭＴＣＨデータフレームに組み立てる。そして、ＦＰ部９０２は、所定のタイミングにてＭＣＣＨデータ及びＭＩＣＨデータをＮｏｄｅ  Ｂへ送信する。具体的には、ＦＰ部９０２は、ＮＢＡＰ部９０１から入力した変更期間の情報より、各変更期間にＭＩＣＨデータを複数回数送信できるように、ＭＩＣＨデータを送信する周期を計算して、計算した周期にてＭＩＣＨデータを複数回数送信する。なお、ＦＰ部９０２は、任意の変更期間にてＭＣＣＨデータを１回または複数回Ｎｏｄｅ  Ｂへ送信しても良いし、変更期間毎に１回ずつＭＣＣＨデータをＮｏｄｅ  Ｂへ送信しても良いし、変更期間毎に同一のＭＣＣＨデータを所定の周期にて繰り返しＮｏｄｅ  Ｂへ送信しても良い。
【００６９】
次に、ＦＰ部９０２の詳細な構成について図１０を用いて説明する。図１０は、ＦＰ部９０２の構成を示すブロック図である。
【００７０】
周期計算部１００１は、ＮＢＡＰ部９０１から入力した変更期間の情報、及びあらかじめ設定された各変更期間に送信するＭＩＣＨデータの送信回数の情報より、各変更期間におけるＭＩＣＨデータの送信周期を計算する。そして、周期計算部１００１は、計算した周期にてＭＩＣＨデータを出力するように記憶部１００２に対して指示する。この場合、周期計算部１００１は、各変更期間の先頭にて連続して送信されるような周期とする。
【００７１】
記憶部１００２は、ＭＡＣ部１０６から入力したＭＩＣＨデータを記憶し、周期計算部１００１からの指示により、所定の周期にて記憶しているＭＩＣＨデータをＦＰ処理部１００３へ出力する。
【００７２】
ＦＰ処理部１００３は、ＭＡＣ部１０６から入力したＭＩＣＨデータをＭＩＣＨデータフレームに組み立てるとともに、ＭＣＣＨデータをＭＣＣＨデータフレームに組み立ててＮｏｄｅ  Ｂ２００へ送信する。さらに、ＦＰ処理部１００３は、ＮＢＡＰ部９０１から入力した変更期間の情報より、変更期間が終了するまで記憶部１００２から入力したＭＩＣＨデータをＭＩＣＨデータフレームに組み立ててＮｏｄｅ  Ｂ２００へ送信する。これにより、ＦＰ処理部１００３は、各変更期間において、複数回数ＭＩＣＨデータをＮｏｄｅ  Ｂ２００へ送信する。
【００７３】
次に、選択手段であるＦＰ部２０５の詳細な構成について、図１１を用いて説明する。図１１は、ＦＰ部２０５の構成を示すブロック図である。
【００７４】
ＣＦＮ記憶部１１０１は、ＲＮＣ９００から受け取ったＭＩＣＨデータに設定されているＣＦＮを記憶する。そして、ＣＦＮ記憶部１１０１は、記憶している変更期間毎のＣＦＮの情報をＣＦＮ比較部１１０２へ出力する。ＣＦＮ記憶部１１０１は、変更期間毎に記憶するＣＦＮを更新する。
【００７５】
ＣＦＮ比較部１１０２は、ＲＮＣ９００から受け取ったＭＩＣＨデータに設定されているＣＦＮと、ＣＦＮ記憶部１１０１から入力したＣＦＮの情報とを比較して、比較結果の情報をＭＩＣＨデータとともに選択部１１０３へ出力する。また、ＣＦＮ比較部１１０２は、ＲＮＣ９００からＭＣＣＨデータ及びＭＴＣＨデータを受け取った場合には、ＣＦＮの比較を行わずに選択部１１０３へ出力する。
【００７６】
選択部１１０３は、ＣＦＮ比較部１１０２から入力した比較結果の情報より、ＣＦＮが一致しない比較結果の情報である場合には、ＣＦＮ比較部１１０２から入力したＭＩＣＨデータをＰＨＹ部２０６へ出力し、ＣＦＮが一致する比較結果の情報である場合には、ＣＦＮ比較部１１０２から入力したＭＩＣＨデータをＰＨＹ部２０６へ出力せずに廃棄する。また、選択部１１０３は、ＣＦＮ比較部１１０２からＭＣＣＨデータ及びＭＴＣＨデータが入力した場合にはそのままＰＨＹ部２０６へ出力する。
【００７７】
次に、ＭＩＣＨデータを送信する場合のＲＮＣ９００の動作について、図１２を用いて説明する。図１２は、ＭＩＣＨデータを送信する場合のＲＮＣ９００の動作を示すフロー図である。最初に、ＦＰ部９０２は、変更期間の情報とあらかじめ設定されている変更期間毎に送信する送信回数の情報より、各変更期間におけるＭＩＣＨデータの送信周期を計算する（ステップＳＴ１２０１）。
【００７８】
次に、ＭＡＣ部１０６は、ＭＩＣＨデータを送信するためにスケジューリングを行う（ステップＳＴ１２０２）。次に、ＦＰ部９０２はＭＩＣＨデータを記憶し（ステップＳＴ１２０３）、ＭＩＣＨデータを送信する（ステップＳＴ１２０４）。次に、ＦＰ部９０２は、送信終了であるか否かを判定する（ステップＳＴ１２０５）。即ち、ＦＰ部９０２は、変更期間毎に計算した周期にて所定回数ＭＩＣＨデータを送信したか否かを判定する。
【００７９】
送信終了でない場合には、ＦＰ部９０２は記憶しているＭＩＣＨデータの送信を繰り返す（ステップＳＴ１２０４）。一方、送信終了である場合には、ＦＰ部９０２はＭＩＣＨデータの送信を終了する。
【００８０】
次に、ＭＩＣＨデータを受信した場合のＮｏｄｅ  Ｂ２００の動作について、図１３を用いて説明する。図１３は、ＭＩＣＨデータを受信した場合のＮｏｄｅ  Ｂ２００の動作を示すフロー図である。最初に、ＦＰ部２０５はＭＩＣＨデータを受信する（ステップＳＴ１３０１）。次に、ＦＰ部２０５は、受信したＭＩＣＨデータのＣＦＮが、同一の変更期間内において以前受信したＭＩＣＨデータのＣＦＮと一致しているか否か判定する（ステップＳＴ１３０２）。
【００８１】
ＭＩＣＨデータのＣＦＮが一致していない場合には、ＰＨＹ部２０６はＭＩＣＨデータをＵＥへ送信する（ステップＳＴ１３０３）。一方、ＭＩＣＨデータのＣＦＮが一致している場合には、ＦＰ部２０５はＣＦＮが一致するＭＩＣＨデータを廃棄する（ステップＳＴ１３０４）。
【００８２】
次に、Ｎｏｄｅ  Ｂ２００はＵＥへの送信を終了するか否かを判定する（ステップＳＴ１３０５）。そして、Ｎｏｄｅ  Ｂ２００は、送信終了しない場合にはステップＳＴ１３０１〜ステップＳＴ１３０５の処理を繰り返し、送信終了する場合には送信を終了する。
【００８３】
図１４は、ＭＩＣＨ及びＭＣＣＨのタイミングを示す図である。図１４において、変更期間＃４０３においてＭＩＣＨデータ＃１４０１、＃１４０２を２回送信する点が図４と相違しており、その他のタイミングは図４と同一であるので、同一のタイミングには図４と同一の符号を付してその説明は省略する。
【００８４】
図１４より、ＲＮＣ９００のＦＰ部９０２は、同一のＭＩＣＨデータ＃１４０１及びＭＩＣＨデータ＃１４０２を２回Ｎｏｄｅ  Ｂ２００へ変更期間＃４０３の先頭から順次送信する。この時、ＭＩＣＨデータ＃１４０１、＃１４０２を受信したＮｏｄｅ  Ｂ２００は、送信途中で損失することなくＭＩＣＨデータ＃１４０１を受信したので、１回目に受信したＭＩＣＨデータ＃１４０１をＵＥへ送信するとともに、２回目に受信したＭＩＣＨデータ＃１４０２を廃棄する。なお、ＭＩＣＨデータ＃１４０１がＲＮＣ９００からＮｏｄｅ  Ｂ２００へ送信される途中で喪失した場合には、Ｎｏｄｅ  Ｂ２００はＭＩＣＨデータ＃１４０２をＵＥへ送信する。
【００８５】
このように、本実施の形態２によれば、上記実施の形態１の効果に加えて、ＭＩＣＨデータを複数回数送信するので、伝送途中でＭＩＣＨデータが損失することによりＭＩＣＨデータが全く受信できなくなる状態を防ぐことができる。また、本実施の形態２によれば、Ｎｏｄｅ  Ｂは同一のＭＩＣＨデータを複数回数受信した場合には、ＭＩＣＨデータを１つだけ選択してＵＥへ送信するので、ＵＥはＭＩＣＨデータを１度だけ受信して復号等の処理を行えば良いので、ＵＥの消費電力が増大することを防ぐことができる。
【００８６】
なお、本実施の形態２において、ＭＩＣＨデータを２回送信することとしたが、これに限らず、２回以上であれば任意の回数送信することが可能である。また、本実施の形態２において、ＭＩＣＨデータを同一変更期間内にて２回送信することとしたが、これに限らず、Ｎｏｄｅ  ＢがＭＩＣＨデータと同様のタイミングにてＭＣＣＨデータをＵＥへ送信する場合には、ＭＣＣＨデータを同一変更期間内にて２回送信するようにしても良い。また、本実施の形態２において、Ｎｏｄｅ  Ｂは同一の変更期間内にて２回目に受信したＭＩＣＨデータを廃棄することとしたが、これに限らず、Ｎｏｄｅ  Ｂは受信したＭＩＣＨデータを全てＵＥに送信するようにしても良い。
【００８７】
（実施の形態３）
図１５は、本発明の実施の形態３に係るＭＩＣＨ及びＭＣＣＨのタイミングを示す図である。なお、本実施の形態３においては、ＲＮＣの構成は図９と同一構成であり、Ｎｏｄｅ  Ｂの構成は図２と同一構成であるので、その説明は省略する。なお、図１５において、変更期間＃１５０５、＃１５０６内にて繰り返し送信されるＭＣＣＨデータ＃１５１０、及び変更期間＃１５０７内にて繰り返し送信されるＭＣＣＨデータ＃１５１１は、Ｎｏｄｅ  Ｂ２００からＵＥ３００へ送信する際のＭＣＣＨデータの送信のタイミングを示すものである。
【００８８】
図１５より、ＭＩＣＨデータ＃１５０１、＃１５０３は、ＲＮＣ９００からＮｏｄｅ  Ｂ２００へ送信される。また、ＲＮＣ９００からＮｏｄｅ  Ｂ２００へ図示しないＭＣＣＨデータが送信される。ＭＩＣＨデータ＃１５０１を受信したＮｏｄｅ  Ｂ２００は、変更期間＃１５０５の先頭のタイミングにてＭＩＣＨデータ＃１５０１をＵＥ３００へ送信する。さらに、ＭＩＣＨデータ＃１５０３を受信したＮｏｄｅ  Ｂ２００は、変更期間＃１５０６の先頭のタイミングにてＭＩＣＨデータ＃１５０３をＵＥ３００へ送信する。また、Ｎｏｄｅ  Ｂは、変更期間＃１５０５、＃１５０６においてＭＣＣＨデータ＃１５１０を繰り返し期間＃１５０８の周期にて繰り返しＵＥ３００に対して送信し、変更期間＃１５０７において、ＭＣＣＨデータ＃１５１０と異なるデータであるＭＣＣＨデータ＃１５１１を繰り返し期間＃１５０９の周期にて繰り返しＵＥ３００に対して送信する。
【００８９】
また、ＭＩＣＨにおいて、同一の変更期間＃１５０５及び変更期間＃１５０６が設定されており、変更期間＃１５０５及び変更期間＃１５０６と異なる長さの変更期間＃１５０７が設定されている。そして、ＲＮＣ９００は、変更期間＃１５０６が変更期間＃１５０７に変わるタイミング＃１５１２を動作時刻情報にてＮｏｄｅ  Ｂ２００及びＵＥ３００へ通知する。また、繰り返し期間＃１５０８と繰り返し期間＃１５０９とは異なる長さである。
【００９０】
繰り返し期間＃１５０８から繰り返し期間＃１５０９への変更は、変更期間＃１５０６から変更期間＃１５０７に変更されるタイミング＃１５１２と同じタイミングであるため、ＲＮＣ９００は、変更期間＃１５０６から変更期間＃１５０７に変更されるタイミング＃１５１２を動作時刻情報にて通知することにより、繰り返し期間＃１５０８から繰り返し期間＃１５０９に変更されることも通知することとなる。
【００９１】
Ｎｏｄｅ  Ｂ２００は、送信途中で損失することなくＭＩＣＨデータ＃１５０１を受信したので、２回目に受信したＭＩＣＨデータ＃１５０３を廃棄する。そして、ＮｏｄｅＢ２００は、変更期間＃１５０５の先頭のタイミングにてＭＩＣＨデータ＃１５０１をＵＥ３００へ送信する。また、Ｎｏｄｅ  Ｂ２００は、変更期間＃１５０５、＃１５０６においてＭＣＣＨデータ＃１５１０を繰り返し期間＃１５０８の周期にて繰り返しＵＥ３００に対して送信し、変更期間＃１５０７において、ＭＣＣＨデータ＃１５１０と異なるデータであるＭＣＣＨデータ＃１５１１を繰り返し期間＃１５０９の周期にて繰り返しＵＥ３００に対して送信する。なお、ＭＩＣＨデータ＃１５０１がＲＮＣ９００からＮｏｄｅ  Ｂ２００への伝送の途中で損失した場合には、ＭＩＣＨデータ＃１５０３をＵＥ３００へ送信する。
【００９２】
このように、本実施の形態３によれば、上記実施の形態１の効果に加えて、ＭＩＣＨデータを送信する変更期間を連続して複数設定して、設定した複数の変更期間毎にＭＩＣＨデータを送信するので、伝送途中でＭＩＣＨデータが損失することによりＭＩＣＨデータが全く受信できなくなる状態を防ぐことができる。また、本実施の形態３によれば、Ｎｏｄｅ  Ｂは同一のＭＣＣＨデータを通知するＭＩＣＨデータを複数回数受信した場合には、ＭＩＣＨデータを１つだけ選択してＵＥへ送信するので、ＵＥはＭＩＣＨデータを１度だけ受信して復号等の処理を行えば良いので、ＵＥの消費電力が増大することを防ぐことができる。
【００９３】
なお、本実施の形態３において、ＭＩＣＨデータを送信する変更期間を連続して２つ設定したが、これに限らず、２つ以上であれば任意の数の変更期間を連続して設定することが可能である。また、本実施の形態３において、ＭＩＣＨデータを連続する変更期間毎に送信することとしたが、これに限らず、Ｎｏｄｅ  ＢがＭＩＣＨデータと同様のタイミングにてＭＣＣＨデータをＵＥへ送信する場合には、ＭＣＣＨデータを連続する変更期間毎に送信するようにしても良い。また、本実施の形態３において、Ｎｏｄｅ  Ｂは連続する変更期間の２回目に受信したＭＩＣＨデータを廃棄することとしたが、これに限らず、Ｎｏｄｅ  Ｂは受信したＭＩＣＨデータを全てＵＥに送信するようにしても良い。
【００９４】
（実施の形態４）
図１６は、本発明の実施の形態４に係るＲＮＣ１６００の構成を示すブロック図である。
【００９５】
ＲＲＣ部１６０１は、ＭＩＣＨデータ、ＭＣＣＨデータ及びＭＴＣＨデータを生成してＭＡＣ部１６０２へ出力する。
【００９６】
ＭＡＣ部１６０２は、ＲＲＣ部１６０１から入力したＭＩＣＨデータ、ＭＣＣＨデータ及びＭＴＣＨデータに対してスケジューリングを行う。そして、ＭＡＣ部１６０２は、スケジューリングを行った後にＭＩＣＨデータ、ＭＣＣＨデータ及びＭＴＣＨデータをＦＰ部１６０３へ出力する。この時、ＭＡＣ部１６０２は、ＭＩＣＨデータを同一の変更期間内において２回送信するスケジューリングを行う。
【００９７】
ＦＰ部１６０３は、ＭＡＣ部１６０２から入力したＭＩＣＨデータ、ＭＣＣＨデータ及びＭＴＣＨデータをＭＩＣＨデータフレーム、ＭＣＣＨデータフレーム及びＭＴＣＨデータフレームに組み立ててＮｏｄｅ  Ｂへ送信する。さらに、ＦＰ部１６０３は、同一の変更期間内において、ＭＩＣＨデータを複数回数Ｎｏｄｅ  Ｂへ送信する。なお、ＦＰ部１６０３は、任意の変更期間にてＭＣＣＨデータを１回または複数回Ｎｏｄｅ  Ｂへ送信しても良いし、変更期間毎に１回ずつＭＣＣＨデータをＮｏｄｅ  Ｂへ送信しても良いし、変更期間毎に同一のＭＣＣＨデータを所定の周期にて繰り返しＮｏｄｅ  Ｂへ送信しても良い。
【００９８】
次に、Ｎｏｄｅ  Ｂ１７００の構成について図１７を用いて説明する。図１７は、Ｎｏｄｅ  Ｂ１７００の構成を示すブロック図である。
【００９９】
ＦＰ部１７０１は、ＲＮＣから受け取ったＭＩＣＨデータフレーム、ＭＣＣＨデータフレーム及びＭＴＣＨデータフレームに対して、変更期間に基づいた処理を行ってＰＨＹ部１７０２へ出力する。この時、ＦＰ部１７０１は、同一のＭＩＣＨデータフレームを複数回受信した場合には、複数回数受信した同一のＭＩＣＨデータフレームの中から１つのＭＩＣＨデータフレームを選択して、選択しないＭＩＣＨデータフレームは廃棄する。
【０１００】
ＰＨＹ部１７０２は、ＦＰ部１７０１から入力したＭＩＣＨデータ、ＭＣＣＨデータ及びＭＴＣＨデータに対してレイヤ１の処理を行ってＵＥへ送信する。
【０１０１】
次に、ＦＰ部１６０３の詳細な構成について図１８を用いて説明する。図１８は、ＦＰ部１６０３の構成を示すブロック図である。
【０１０２】
記憶部１８０１は、ＭＡＣ部１６０２から入力したＭＩＣＨデータを記憶し、所定の周期にて記憶しているＭＩＣＨデータをＦＰ処理部１８０２へ出力する。
【０１０３】
ＦＰ処理部１８０２は、ＭＡＣ部１６０２から入力したＭＩＣＨデータをＭＩＣＨデータフレームに組み立て、ＭＣＣＨデータをＭＣＣＨデータフレームに組み立てるとともに、ＭＴＣＨデータをＭＴＣＨデータフレームに組み立ててＮｏｄｅ  Ｂ２００へ送信する。また、ＦＰ処理部１８０２は、ＭＩＣＨデータの送信回数に応じて記憶部１８０１から入力したＭＩＣＨデータをＭＩＣＨデータフレームに組み立ててＮｏｄｅ  Ｂ１７００へ送信する。これにより、ＦＰ処理部１８０２は、同一の変更期間において、複数回数ＭＩＣＨデータをＮｏｄｅ  Ｂ１７００へ送信する。
【０１０４】
次に、ＦＰ部１７０１の詳細な構成について、図１９を用いて説明する。図１９は、ＦＰ部１７０１の構成を示すブロック図である。
【０１０５】
ＣＦＮ記憶部１９０１は、ＲＮＣ１６００から受け取ったＭＩＣＨデータに設定されているＣＦＮを記憶する。そして、ＣＦＮ記憶部１９０１は、記憶している変更期間毎のＣＦＮの情報をＣＦＮ比較部１９０２へ出力する。ＣＦＮ記憶部１９０１は、変更期間毎に記憶するＣＦＮを更新する。
【０１０６】
ＣＦＮ比較部１９０２は、ＲＮＣ１６００から受け取ったＭＩＣＨデータに設定されているＣＦＮと、ＣＦＮ記憶部１９０１から入力したＣＦＮの情報とを比較して、比較結果の情報をＭＩＣＨデータとともに選択部１９０３へ出力する。また、ＣＦＮ比較部１９０２は、ＲＮＣ１６００からＭＣＣＨデータ及びＭＴＣＨデータを受け取った場合には、ＣＦＮの比較を行わずに選択部１９０３へ出力する。
【０１０７】
選択部１９０３は、ＣＦＮ比較部１９０２から入力した比較結果の情報より、ＣＦＮが一致しない比較結果の情報である場合には、ＣＦＮ比較部１９０２から入力したＭＩＣＨデータをＰＨＹ部１７０２へ出力し、ＣＦＮが一致する比較結果の情報である場合には、ＣＦＮ比較部１９０２から入力したＭＩＣＨデータをＰＨＹ部１７０２へ出力せずに廃棄する。また、選択部１９０３は、ＣＦＮ比較部１９０２からＭＣＣＨデータ及びＭＴＣＨデータが入力した場合にはそのままＰＨＹ部１７０２へ出力する。
【０１０８】
図２０は、ＭＩＣＨ及びＭＣＣＨのタイミングを示す図である。図２０より、ＭＩＣＨには、全て同一の長さの変更期間＃２００５、＃２００６が設定されている。また、Ｎｏｄｅ  Ｂ１７００は、変更期間＃２００５において、ＭＣＣＨデータ＃２００７を繰り返し期間＃２００９の周期にて繰り返しＵＥ３００に対して送信するとともに、変更期間＃２００６において、ＭＣＣＨデータ＃２００７とは異なるデータであるＭＣＣＨデータ＃２００８を繰り返し期間＃２００９の周期にて繰り返しＵＥに対して送信する。なお、図２０において、変更期間＃２００５内にて繰り返し送信されるＭＣＣＨデータ＃２００７、及び変更期間＃２００６内にて繰り返し送信されるＭＣＣＨデータ＃２００８は、Ｎｏｄｅ  Ｂ１７００からＵＥ３００へ送信する際のＭＣＣＨデータの送信のタイミングを示すものである。
【０１０９】
図２０より、ＲＮＣ１６００のＦＰ部１６０３は、変更期間＃２００５において同一のＭＩＣＨデータ＃２００１及びＭＩＣＨデータ＃２００２を２回Ｎｏｄｅ  Ｂ１７００へ送信する。ＭＩＣＨデータ＃２００１、＃２００２を受信したＮｏｄｅ  Ｂ１７００は、伝送途中で損失することなくＭＩＣＨデータ＃２００１を受信したので、２回目に受信したＭＩＣＨデータ＃２００２を廃棄する。そして、Ｎｏｄｅ  Ｂ１７００は、変更期間＃２００５の先頭のタイミングにてＭＩＣＨデータ＃２００１をＵＥ３００へ送信する。なお、ＲＮＣ１６００からＮｏｄｅ  Ｂ１７００へ送信する途中でＭＩＣＨデータ＃２００１が損失した場合には、Ｎｏｄｅ  Ｂ１７００はＭＩＣＨデータ２００２をＵＥ３００へ送信する。
【０１１０】
このように、本実施の形態４によれば、ＭＩＣＨデータを複数回数送信するので、伝送途中でＭＩＣＨデータが損失することによりＭＩＣＨデータが全く受信できなくなる状態を防ぐことができる。また、本実施の形態４によれば、ＵＥはＭＩＣＨデータを監視することにより自分宛の必要なＭＣＣＨデータが送られてきているか否かを判断することができるので、ＵＥの消費電力を低減することができる。また、本実施の形態４によれば、Ｎｏｄｅ  Ｂは同一のＭＣＣＨデータを通知するＭＩＣＨデータを複数回数受信した場合には、ＭＩＣＨデータを１つだけ選択してＵＥへ送信するので、ＵＥはＭＩＣＨデータを１度だけ受信して復号等の処理を行えば良いので、ＵＥの消費電力が増大することを防ぐことができる。
【０１１１】
なお、本実施の形態４において、ＭＩＣＨデータを２回送信することとしたが、これに限らず、２回以上であれば任意の回数送信することが可能である。また、本実施の形態４において、ＭＩＣＨデータを同一変更期間内にて２回送信することとしたが、これに限らず、Ｎｏｄｅ  ＢがＭＩＣＨデータと同様のタイミングにてＭＣＣＨデータをＵＥへ送信する場合には、ＭＣＣＨデータを同一変更期間内にて２回送信するようにしても良い。また、本実施の形態４において、Ｎｏｄｅ  Ｂは同一の変更期間内にて２回目に受信したＭＩＣＨデータを廃棄することとしたが、これに限らず、Ｎｏｄｅ  Ｂは受信したＭＩＣＨデータを全てＵＥに送信するようにしても良い。
【０１１２】
（実施の形態５）
図２１は、本発明の実施の形態５に係るＭＩＣＨ及びＭＣＣＨのタイミングを示す図である。なお、本実施の形態５においては、ＲＮＣの構成は図１６と同一構成であり、Ｎｏｄｅ  Ｂの構成は図１７と同一構成であるので、その説明は省略する。なお、図２１において、変更期間＃２１０５、＃２１０６内にて繰り返し送信されるＭＣＣＨデータ＃２１０９、及び変更期間＃２１０７内にて繰り返し送信されるＭＣＣＨデータ＃２１１０は、Ｎｏｄｅ  Ｂ１７００からＵＥ３００へ送信する際のＭＣＣＨデータの送信のタイミングを示すものである。
【０１１３】
図２１より、ＭＩＣＨデータ＃２１０１、＃２１０３は、ＲＮＣ１６００からＮｏｄｅ  Ｂ１７００へ送信される。また、ＲＮＣ１６００からＮｏｄｅ  Ｂ１７００へ図示しないＭＣＣＨデータが送信される。ＭＩＣＨデータ＃２１０１を受信したＮｏｄｅ  Ｂ１７００は、変更期間＃２１０５の先頭のタイミングにてＭＩＣＨデータ＃２１０１をＵＥ３００へ送信する。さらに、ＭＩＣＨデータ＃２１０３を受信したＮｏｄｅ  Ｂ１７００は、変更期間＃２１０６の先頭のタイミングにてＭＩＣＨデータ＃２１０３をＵＥ３００へ送信する。また、ＭＩＣＨにおいて、同一の変更期間＃２１０５、＃２１０６、＃２１０７が設定されている。
【０１１４】
また、図２１より、Ｎｏｄｅ  Ｂ１７００は、変更期間＃２１０５、＃２１０６において、ＭＣＣＨデータ＃２１０９を繰り返し期間＃２１０８の周期にて繰り返しＵＥ３００に対して送信するとともに、変更期間＃２１０７において、ＭＣＣＨデータ＃２１０９とは異なるデータであるＭＣＣＨデータ＃２１１０を繰り返し期間＃２１０８の周期にて繰り返しＵＥ３００に対して送信する。この時、ＭＩＣＨデータ＃２１０１、＃２１０３を受信したＮｏｄｅ  Ｂ１７００は、伝送途中で損失することなくＭＩＣＨデータ＃２１０１を受信したので、２回目に受信したＭＩＣＨデータ＃２１０３を廃棄する。なお、ＲＮＣ１６００からＮｏｄｅ  Ｂ１７００へ送信する途中でＭＩＣＨデータ＃２１０１が損失した場合には、Ｎｏｄｅ  Ｂ１７００はＭＩＣＨデータ＃２１０３をＵＥ３００へ送信する。
【０１１５】
このように、本実施の形態５によれば、ＭＩＣＨデータを送信する変更期間を連続して複数設定して、設定した複数の変更期間毎にＭＩＣＨデータを送信するので、伝送途中でＭＩＣＨデータが損失することによりＭＩＣＨデータが全く受信できなくなる状態を防ぐことができる。また、本実施の形態５によれば、ＵＥはＭＩＣＨデータを監視することにより自分宛の必要なＭＣＣＨデータが送られてきているか否かを判断することができるので、ＵＥの消費電力を低減することができる。また、本実施の形態５によれば、Ｎｏｄｅ  Ｂは同一のＭＣＣＨデータを通知するＭＩＣＨデータを複数回数受信した場合には、ＭＩＣＨデータを１つだけ選択してＵＥへ送信するので、ＵＥはＭＩＣＨデータを１度だけ受信して復号等の処理を行えば良いので、ＵＥの消費電力が増大することを防ぐことができる。
【０１１６】
なお、本実施の形態５において、ＭＩＣＨデータを送信する変更期間を連続して２つ設定したが、これに限らず、２つ以上であれば任意の数の変更期間を連続して設定することが可能である。また、本実施の形態５において、ＭＩＣＨデータを連続する変更期間毎に送信することとしたが、これに限らず、Ｎｏｄｅ  ＢがＭＩＣＨデータと同様のタイミングにてＭＣＣＨデータをＵＥへ送信する場合には、ＭＣＣＨデータを連続する変更期間毎に送信するようにしても良い。また、本実施の形態５において、Ｎｏｄｅ  Ｂは連続する変更期間にて２回目に受信したＭＩＣＨデータを廃棄することとしたが、これに限らず、Ｎｏｄｅ  Ｂは受信したＭＩＣＨデータを全てＵＥに送信するようにしても良い。
【産業上の利用可能性】
【０１１７】
本発明にかかる制御局装置及び基地局装置は、送信信号を送信する送信周期が変更された場合においても、受信側にて制御情報が送信されていることを精度良く検出する効果を有し、送信周期を変更するのに有用である。
【図面の簡単な説明】
【０１１８】
【図１】本発明の実施の形態１に係るＲＮＣの構成を示すブロック図
【図２】本発明の実施の形態１に係るＮｏｄｅ  Ｂの構成を示すブロック図
【図３】本発明の実施の形態１に係る変更期間を変更する際のＵＥ、Ｎｏｄｅ  Ｂ及びＲＮＣの動作を示すシーケンス図
【図４】本発明の実施の形態１に係るＭＩＣＨ及びＭＣＣＨのタイミングを示す図
【図５】本発明の実施の形態１に係るＭＩＣＨのフレーム構成を示す図
【図６】本発明の実施の形態１に係るＭＣＣＨのフレーム構成を示す図
【図７】本発明の実施の形態１に係るＭＣＣＨのプロトコル構成を示す図
【図８】本発明の実施の形態１に係るＭＴＣＨのプロトコル構成を示す図
【図９】本発明の実施の形態２に係るＲＮＣの構成を示すブロック図
【図１０】本発明の実施の形態２に係るＦＰ部の構成を示すブロック図
【図１１】本発明の実施の形態２に係るＦＰ部の構成を示すブロック図
【図１２】本発明の実施の形態２に係るＲＮＣの動作を示すフロー図
【図１３】本発明の実施の形態２に係るＮｏｄｅ  Ｂの動作を示すフロー図
【図１４】本発明の実施の形態２に係るＭＩＣＨ及びＭＣＣＨのタイミングを示す図
【図１５】本発明の実施の形態３に係るＭＩＣＨ及びＭＣＣＨのタイミングを示す図
【図１６】本発明の実施の形態４に係るＲＮＣの構成を示すブロック図
【図１７】本発明の実施の形態４に係るＮｏｄｅ  Ｂの構成を示すブロック図
【図１８】本発明の実施の形態４に係るＦＰ部の構成を示すブロック図
【図１９】本発明の実施の形態４に係るＦＰ部の構成を示すブロック図
【図２０】本発明の実施の形態４に係るＭＩＣＨ及びＭＣＣＨのタイミングを示す図
【図２１】本発明の実施の形態５に係るＭＩＣＨ及びＭＣＣＨのタイミングを示す図
【図２２】パケット通信システムの構成を示す図
【図２３】従来のＭＩＣＨ及びＭＣＣＨのタイミングを示す図
【符号の説明】
【０１１９】
１００  ＲＮＣ
１０１  ＲＦＮカウンタ
１０２  同期部
１０３  ＣＦＮ／ＳＦＮ生成部
１０４  ＮＢＡＰ部
１０５  ＲＲＣ部
１０６  ＭＡＣ部
１０７  ＦＰ部
【図１】
2005323113.tif 000003
【図２】
2005323113.tif 000004
【図３】
2005323113.tif 000005
【図４】
2005323113.tif 000006
【図５】
2005323113.tif 000007
【図６】
2005323113.tif 000008
【図７】
2005323113.tif 000009
【図８】
2005323113.tif 000010
【図９】
2005323113.tif 000011
【図１０】
2005323113.tif 000012
【図１１】
2005323113.tif 000013
【図１２】
2005323113.tif 000014
【図１３】
2005323113.tif 000015
【図１４】
2005323113.tif 000016
【図１５】
2005323113.tif 000017
【図１６】
2005323113.tif 000018
【図１７】
2005323113.tif 000019
【図１８】
2005323113.tif 000020
【図１９】
2005323113.tif 000021
【図２０】
2005323113.tif 000022
【図２１】
2005323113.tif 000023
【図２２】
2005323113.tif 000024
【図２３】
2005323113.tif 000025